(57)【要約】【課題】低消費電力、高適応性、省エネの効果を有するＴ５／Ｔ８電子安定器に適用可能なスマートＬＥＤランプを提供する。【解決手段】  スマートＬＥＤランプは、管体および回路版を備える。管体内には少なくとも１個のＬＥＤランプストリングライト３５を有する回路板が設置されている。回路板にはＩＣ回路３４が設置されている。選択回路３８は、第一導通回路３８１、及びインダクタンス３８３を有する第二導通回路３８２が設置されており、スイッチパーツ３９を介してＩＣ回路３４と相互に接続されている。これにより、自励発振式電子安定器或いはＩＣ制御式電子安定器に接続すると、ＩＣ回路３４により内部で演算し、選択回路３８とスイッチパーツ３９とを導通させ、電気回路の共振周波数を変化させ、低消費電力、高適応性、省エネの効果を達成することができる。【選択図】  図５
0003193351.tif 000002
【実用新案登録請求の範囲】
【請求項１】
ダイオードを有する管体、および前記管体内に設けられている回路板を備え、
前記回路板は、各電極にそれぞれ接続されており、２個のプレ起動回路を有し、各前記プレ起動回路が整流回路に接続されており、前記整流回路にＩＣ回路が接続されており、少なくとも１個のＬＥＤランプストリングライトが前記整流回路と前記ＩＣ回路にそれぞれ接続されており、
前記ＬＥＤランプストリングライトとスイッチパーツとの間に選択回路が接続されており、
前記スイッチパーツの前記選択回路との反対側の端部が、前記ＩＣ回路に接続されており、
前記選択回路は、少なくとも１個の第一導通回路及び少なくとも１個の第二導通回路を有し、
前記第一導通回路は、一端が前記ＬＥＤランプストリングライトに接続されており、他端が前記スイッチパーツを介して前記ＩＣ回路に接続されており、
前記第二導通回路には、インダクタンスが設置されており、
前記第二導通回路は、一端が前記ＬＥＤランプストリングライトに接続されており、他端が前記スイッチパーツを介して前記ＩＣ回路に接続されており、
自励発振式電子安定器或いはＩＣ制御式電子安定器に接続すると、前記ＩＣ回路により、電圧及び電流信号に基づき、内部演算が行われ、前記選択回路と前記スイッチパーツとが導通され、前記第一導通回路或いは前記第二導通回路に電流が流れ、共振周波数が変化することで消費電力を低減可能であることを特徴とするスマートＬＥＤランプ。
【請求項２】
前記スイッチパーツは、第一電気コントロールスイッチおよび第二電気コントロールスイッチにより構成されており、
前記第一電気コントロールスイッチは、前記第一導通回路に直列接続されており、
前記第二電気コントロールスイッチは、前記第二導通回路に直列接続されており、
前記第一導通回路と前記第二導通回路とは、前記スイッチパーツを介して、前記ＩＣ回路と相互に接続していることを特徴とする請求項１に記載のスマートＬＥＤランプ。
【請求項３】
前記スイッチパーツの前記第一電気コントロールスイッチおよび前記第二電気コントロールスイッチは、金属酸化膜半導体電界効果トランジスタ、バイポーラ接合型トランジスタ、およびリレーを含む電気スイッチゲートの内の一種から選択可能であることを特徴とする請求項２に記載のスマートＬＥＤランプ。
【請求項４】
前記インダクタンスは、前記回路板の上方に設置されており、前記管体の一端に位置し、
各前記電極は、前記回路板の両側の上方に、それぞれ導電端子が設置されており、
前記管体は、両端に嵌合可能に設置されており、前記導電端子に対応する２個の端部蓋を有し、
前記インダクタンスは、前記端部蓋内に位置し、前記端部蓋により遮蔽されていることを特徴とする請求項１に記載のスマートＬＥＤランプ。
【請求項５】
前記導電端子は、電極挿入ピンを有し、
各前記端部蓋は、各前記電極挿入ピンに対応しており、外側に突出する２個の導電管が設置されており、
各前記電極挿入ピンは、対応する各前記導電管に貫設されており、合圧により各前記導電管と固定されていることを特徴とする請求項４に記載のスマートＬＥＤランプ。
【請求項６】
前記管体は、内周壁の互いに対向する位置から水平に突出し軸方向に沿って延びる位置決め用凸リブが形成されており、
アルミプレス体であり、底部の両側の前記位置決め用凸リブに対応する位置に、２個の位置決め用槽が陥没状に形成されている放熱板をさらに備え、
前記放熱板は、前記管体に挿設されており、前記位置決め用凸リブと前記位置決め用槽とが嵌合することで前記管体に固定されており、
前記回路板は、前記放熱板の頂面に密着していることを特徴とする請求項１に記載のスマートＬＥＤランプ。  
【考案の詳細な説明】
【技術分野】
【０００１】
本考案は、ＬＥＤランプの回路に関し、特にＴ５／Ｔ８電子安定器に適用可能であるＬＥＤランプに関する。
【背景技術】
【０００２】
従来のＴ５或いはＴ８蛍光灯ランプは、省エネ及び高力率の照明に幅広く利用されている。
しかし、発光ダイオードランプが発展するに従い、従来のＴ５或いはＴ８フィラメント加熱放電ランプは、徐々に発光ダイオードランプに置換されている。
そのため、ＬＥＤランプが開発された。
【０００３】
図１は、従来のＬＥＤランプの回路を示す模式図である。
図に示すように、ランプソケット１には、電子安定器２、及び電子安定器２に適用可能なＬＥＤランプ３が設置されている。
使用時には、電子安定器２によりＬＥＤランプ３を起動する。
【０００４】
上述の電子安定器２は、自励発振式電子安定器( Ｓｅｌｆ−ｏｓｃｉｌｌａｔｉｎｇ  ｅｌｅｃｔｒｏｎｉｃ  ｂａｌｌａｓｔｓ )とＩＣ制御式電子安定器( Ｉｃ−ｃｏｎｔｒｏｌｌｅｄ  ｅｌｅｃｔｒｏｎｉｃ  ｂａｌｌａｓｔｓ )に分けられる。
ランプ３とＩＣ制御式電子安定器とが相互に接続されて導通すると、ＩＣ制御式電子安定器は、ＩＣ回路により、コントロール回路の制御を行い、高力率、低斜め波歪み、高効率の効果を達成する。
【０００５】
さらに図２は、従来の自励発振式電子安定器の等価回路図である。
図２に示すように、自励発振式電子安定器は、インダクタンス／キャパシタ回路の共鳴とインダクタンス変圧器特性を利用し、回路を制御する。
よって、ＬＥＤランプ３と自励発振式電子安定器が相互に接続されて導通すると、電圧、電流の、蛍光灯との差異は非常に大きい。
この種の差異は、自励発振式電子安定器の起動周波数と作動周波数との不一致を引き起こす。
電子安定器の出力電流は、ランプ規定の電流より大きくなり、及び消費電力も大きくなる。
これにより、エネルギー浪費と激しい温度上昇の問題も発生し、同時に他の電子パーツとＬＥＤランプ３内部のストリングライトにも影響を及ぼす。
ＬＥＤランプ３及び内部システムが損壊し易いという状況を招く。
【先行技術文献】
【特許文献】
【０００６】
【特許文献１】特開２００３−２７３４０４号公報
【考案の概要】
【考案が解決しようとする課題】
【０００７】
しかし、上述した考案は使用上に欠点があり、改善する必要がある。その原因は下記の通りである。
【０００８】
ＬＥＤランプと自励発振式電子安定器が相互に接続され導通すると、蛍光灯との電圧、電流の差異は非常に大きくなり、自励発振式電子安定器の起動周波数と作動周波数との不一致を引き起こし、電子安定器の出力電流はランプ規定の電流より大きくなり、消費電力も大きくなる。
これにより、エネルギー浪費と激しい温度上昇の問題が発生し、同時に他の電子パーツとＬＥＤランプ内部のストリングライトにも影響を及ぼし、ＬＥＤランプ及び内部システムが損壊し易いという状況を招く。
【０００９】
また、従来のＬＥＤランプには、電子安定器の起動或いは使用期間における変化を判断することができない。
【００１０】
本考案は、上述の問題に鑑みてなされたものであり、その目的は、自励発振式電子安定器とＩＣ制御式電子安定器に適用可能であり、ＬＥＤランプの完全起動を確保可能であり、点灯時間を短縮し、適応性が高く、消費電力が低い省エネ効果を有するＴ５／Ｔ８電子安定器に適用可能なスマートＬＥＤランプを提供することにある。
【課題を解決するための手段】
【００１１】
本考案によるスマートＬＥＤランプは、ダイオードを有する管体、および前記管体内に設けられている回路板を備える。回路板は、各電極にそれぞれ接続されており、２個のプレ起動回路を有し、各プレ起動回路が整流回路に接続されており、整流回路にＩＣ回路が接続されており、少なくとも１個のＬＥＤランプストリングライトが整流回路とＩＣ回路にそれぞれ接続されている。ＬＥＤランプストリングライトとスイッチパーツとの間に選択回路が接続されている。スイッチパーツの選択回路との反対側の端部が、ＩＣ回路に接続されている。選択回路は、少なくとも１個の第一導通回路及び少なくとも１個の第二導通回路を有する。第一導通回路は、一端がＬＥＤランプストリングライトに接続されており、他端がスイッチパーツを介してＩＣ回路に接続されている。第二導通回路には、インダクタンスが設置されている。第二導通回路は、一端がＬＥＤランプストリングライトに接続されており、他端がスイッチパーツを介してＩＣ回路に接続されている。
【００１２】
本考案によるスマートＬＥＤランプを、自励発振式電子安定器或いはＩＣ制御式電子安定器に連接すると、ＩＣ回路により、選択回路とスイッチパーツをトリガーする。
これにより、電流は、第一導通回路或いはインダクタンスを設置する第二導通回路を通過する。
【００１３】
本考案は、ＬＥＤランプを完全に起動することができ、点灯時間を短縮可能であり、共振周波数を変えることができ、これにより消費電力の低下と省エネの効果を達成可能であり、さまざまな種類の電子安定器に適用可能であり、電子式安定器の出力電流を規定の範囲内に効果的に制御可能であり、優れた適応性を有する。
【図面の簡単な説明】
【００１４】
【図１】従来のＬＥＤランプの回路を示す模式図である。
【図２】従来の自励発振式電子安定器の等価回路を示す図である。
【図３】本考案の一実施形態によるスマートＬＥＤランプをＴ５／Ｔ８ランプソケットに挿入した状態を示す斜視図である。
【図４】本考案の一実施形態によるスマートＬＥＤランプを示す分解斜視図である。
【図５】本考案の一実施形態によるスマートＬＥＤランプの回路を示す回路図である。
【図６】本考案の一実施形態によるスマートＬＥＤランプの回路を示すブロック図である。
【図７】本考案の一実施形態によるスマートＬＥＤランプをＩＣ制御式電子安定器に接続する状態を示すブロック図である。
【図８】本考案の一実施形態によるスマートＬＥＤランプを自励発振式電子安定器に接続する状態を示すブロック図である。
【図９】本考案の一実施形態によるスマートＬＥＤランプを自励発振式電子安定器に接続する状態を示す回路図である。
【図１０】本考案の一実施形態によるスマートＬＥＤランプを示す断面図である。
【図１１】本考案の一実施形態によるスマートＬＥＤランプを示す断面図である。
【考案を実施するための形態】
【００１５】
（一実施形態）
本考案の一実施形態によるによるスマートＬＥＤランプを図面に基づいて説明する。
図３、４は、本考案の一実施形態によるＴ５／Ｔ８ランプソケットに挿入して接続する様子を示す外観立体図、分解立体図である。
図に示すように、スマートＬＥＤランプ１００は、Ｔ５／Ｔ８ランプ用のランプソケット２００に挿入して接続することができる。
【００１６】
図５、６に示すように、スマートＬＥＤランプ１００は、管体１０を備える。
管体１０は、電極２０を備える。
管体１０内には、回路板３０を備える。
【００１７】
回路板３０は、各電極２０にそれぞれ接続されており、しかも回路板３０は、２個のプレ起動回路３１を備える。
各プレ起動回路３１は、整流回路３２に接続されている。
整流回路３２は、電圧検出回路３３ＡとＩＣ回路３４にそれぞれ接続されている。
少なくとも１個のＬＥＤランプストリングライト３５は、整流回路３２とＩＣ回路３４にそれぞれ接続されている。
ＩＣ回路３４とＬＥＤランプストリングライト３５との間にはさらに、電圧安定回路３６を設置する。
電流制限回路３７は、ＬＥＤランプストリングライト３５と直列接続を形成し、整流回路３２と相互に接続されている。
【００１８】
本考案の一実施形態による回路図と回路ブロックチャートである図５、６に示すように、選択回路３８の一端は、ＬＥＤランプストリングライト３５に接続されており、反対端は、スイッチパーツ３９に接続されている。
スイッチパーツ３９の反対端は、ＩＣ回路３４に接続されており、選択回路３８は、電流制限回路３７と並列接続を形成する。
【００１９】
選択回路３８は、少なくとも１個の第一導通回路３８１及び少なくとも１個の第二導通回路３８２を備える。
第一導通回路３８１一端は、ＬＥＤランプストリングライト３５に接続されており、反対端は、スイッチパーツ３９を介して、ＩＣ回路３４と相互に接続されている。
第二導通回路３８２には、インダクタンス３８３を設置し、第二導通回路３８２一端は、ＬＥＤランプストリングライト３５に接続されており、反対端は、スイッチパーツ３９を介して、ＩＣ回路３４と相互に接続されている。
【００２０】
本実施形態中では、スイッチパーツ３９は、第一電気コントロールスイッチ３９１と第二電気コントロールスイッチ３９２により構成する。
第一電気コントロールスイッチ３９１は、第一導通回路３８１に直列接続する。
第二電気コントロールスイッチ３９２は、第二導通回路３８２に直列接続する。
第一導通回路３８１と第二導通回路３８２とは、スイッチパーツ３９を介して、ＩＣ回路３４と相互に接続されている。
【００２１】
スイッチパーツ３９はさらに、電流検出回路３３Ｂを直列接続し、電流検出回路３３Ｂは、ＩＣ回路３４と整流回路３２と相互に接続されている。
電流検出回路３３Ｂは、電気抵抗で、第一電気コントロールスイッチ３９１と第二電気コントロールスイッチ３９２係可選自金属酸化膜半導体電界効果トランジスタ、バイポーラ接合型トランジスタ、リレー或いは他の電気スイッチゲートの内の一種である。
本実施形態中では、第一電気コントロールスイッチ３９１と第二電気コントロールスイッチ３９２は、金属酸化膜半導体電界効果トランジスタである。
【００２２】
図４に合わせて、本考案の一実施形態による分解立体図と断面図である図１０、１１に示すように、管体１０は、内周壁の互いに対向する位置から水平に突出し軸方向に沿って延びる位置決め用凸リブ１１が形成されている。
アルミプレス体である放熱板４０の底部両側には、各位置決め用凸リブ１１に対応し、２個の位置決め用槽４１を陥没状に設置する。
放熱板４０は、管体１０に対応して挿入して設置する。
各位置決め用凸リブ１１は、各位置決め用槽４１に設置し、これにより放熱板４０は、管体１０において位置を決め用され、しかも回路板３０は、放熱板４０の頂点側に設置する。
【００２３】
インダクタンス３８３は、回路板３０の上方に設置し、しかも管体１０の一端部に位置する。
各電極２０は、回路板３０の両側上方に、それぞれ導電端子２１を設置する。
管体１０は、２個の端部蓋１２により、導電端子２１に対応し、管体１０の両端にそれぞれ嵌めて設置する。
これにより、インダクタンス３８３は、端部蓋１２内にちょうど位置する。
端部蓋１２によりさらに、インダクタンス３８３を遮蔽する。
【００２４】
本実施形態中では、導電端子２１は、電極挿入ピン２１１を備える。
各端部蓋１２は、各電極挿入ピン２１１に対応し、外側へ突出する２個の導電管１２１が設置されている。
電極挿入ピン２１１は、各導電管１２１に対応して挿入して設置し、圧合の方式で、各導電管１２１と各電極挿入ピン２１１とを、相互に圧合して固定する。
【００２５】
本考案の一実施形態による外観立体図と回路図である図３、５に示すように、使用時には、本実施形態のスマートＬＥＤランプ１００を、Ｔ５／Ｔ８ランプ用のランプソケット２００に設置する。
電源スイッチをオンにすると、ランプソケット２００内の電子安定器は、瞬間的な高電圧を生じ、電圧が発生する電流は、電極２０を経由して、プレ起動回路３１に伝えられる。
上記した電流はさらに、整流回路３２へと流れ、交流を直流に転換後、さらに各ＬＥＤランプストリングライト３５、電圧検出回路３３Ａ、ＩＣ回路３４、選択回路３８等へと流れる。
しかも、電圧検出回路３３Ａは、ＩＣ回路３４に流入する電圧を検出することができる。
これにより、ＩＣ回路３４は、スイッチパーツ３９をトリガーするかどうかを判断する。
【００２６】
電流検出回路３３Ｂは、ＬＥＤランプストリングライト３５に流入する電流を検出する。
これにより、ＩＣ回路３４は、スイッチパーツ３９をトリガーするかどうかを判断する。
こうして、第一導通回路３８１を使用し、或いは第二導通回路３８２を使用し、ＬＥＤランプストリングライト３５の電流ルートとする。
【００２７】
一般の電子安定器は、自励発振式電子安定器とＩＣ制御式電子安定器に分類されるため、本実施形態によるスマートＬＥＤランプとＩＣ制御式電子安定器３００とが相互に接続され導通後、図５、７に示すように、ＩＣ回路３４は、スイッチパーツ３９をトリガーする。
第一電気コントロールスイッチ３９１は、第一導通回路３８１と通路を形成し、さらにＩＣ制御式電子安定器３００はＩＣ回路を採用し、回路の制御を行うため、回路板３０の電流状況を調整することができ、高力率、低斜め波歪み、高効率、低消費電力の作用を備える。
【００２８】
本実施形態によるスマートＬＥＤランプと自励発振式電子安定器４００とが、相互に接続され導通すると、図５、８に示すように、回路板３０は、ＩＣ回路３４により、スイッチパーツ３９をトリガー後、第二電気コントロールスイッチ３９２は、インダクタンス３８３の第二導通回路３８２と直列接続し導通する。
上記の内容は自励発振式電子安定器４００の下記の式１と対応する。
【数１】
0003193351.tif 000003
中では、公式及び図９の等価回路図により、インダクタンス値は、消費電力と反比例することを証明している。
【００２９】
よって、本実施形態は、第二導通回路３８２中に直列接続するインダクタンス３８３を利用し、さらにインダクタンス３８３により、回路板３０回路中のインダクタンス値を高め、さらにＬＥＤランプストリングライト３５と他の内部電子パーツの消費電力を低減することができる。
しかも、さらに平均電流と共振周波数とを改変でき、同時に共鳴する振幅と周波数とを低下させる。
これにより、本考案は、出力電力を低下させ、エネルギー消耗を減らす効果を達成することができる。
【００３０】
これにより、本実施形態のスマートＬＥＤランプ１００は、自励発振式電子安定器或いはＩＣ制御式電子安定器に接続されている時には、ＩＣ回路３４により、選択回路３８とスイッチパーツ３９とをトリガーする。
これにより、電流は第一導通回路３８１、或いはインダクタンス３８３を設置する第二導通回路３８２により、本実施形態は、スマートＬＥＤランプ１００を完全に起動し、点灯時間を短縮し、共振周波数を改変することができる。
これにより、消費電力低下と省エネの効果を達成でき、及びさまざまな種類の電子安定器に適用でき、優れた適応性という長所を備える。
【００３１】
図４、１０は、本考案の一実施形態による分解立体図と断面図である。
図に示すように、管体１０の内周壁には、軸方向に沿って、各位置決め用凸リブ１１が突出して形成されている。
放熱板４０は、管体１０に対応して挿入して設置する。
各位置決め用凸リブ１１は、各位置決め用槽４１に設置し、これにより放熱板４０は、管体１０において位置を決め用される。
【００３２】
しかも、同時に図８に示すように、回路板３０は、放熱板４０の頂点側に密着接合し、放熱板４０は、アルミプレス体の金属パーツであるため、回路板３０が発生する熱エネルギーを、放熱板４０に伝えて発散させ、これにより放熱の効果を達成する。
こうして、本実施形態は各位置決め用凸リブ１１と各位置決め用槽４１により、放熱板４０を、管体１０内に安定的に固定して設置し、放熱板４０を対応させて、最適な熱伝導の特性を備えるため、ＬＥＤランプストリングライト３５の発光効率に影響を及ぼすことはなく、さらに回路板３０の使用寿命を延長することができる。
【００３３】
図１１は、本考案の一実施形態による断面図である。
図に示すように、導電端子２１の各電極挿入ピン２１１は、端部蓋１２の各導電管１２１に対応して挿入し設置し、しかも各端部蓋１２は、管体１０の両端に対応して蓋をする。
さらに、インダクタンス３８３を遮蔽し、これにより、本実施形態は圧合の方式で、各導電管１２１と各電極挿入ピン２１１とを圧合して固定し、こうして本実施形態は、生産効率を拡大し、製造コストを低減し、最適な構造強度を実現することができる。
【００３４】
上述の実施形態の説明により、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び明細書の内容に基づいて、同じ効果を有する簡単な変化及び修飾は、全て、本考案の範囲内に属するものとする。
【符号の説明】
【００３５】
１  ランプソケット、
２  電子安定器、
３  ランプ、  
１００  スマートＬＥＤランプ、  
１０  管体、
１１  位置決め用凸リブ、
１２  端部蓋、
１２１  導電管、
２０  電極、
２１  導電端子、
２１１  電極挿入ピン、    
３０  回路板、
３１  プレ起動回路、
３２  整流回路、
３３Ａ  電圧検出回路、
３３Ｂ  電流検出回路、
３４  ＩＣ回路、  
３５  ＬＥＤランプストリングライト、
３６  電圧安定回路、  
３７  電流制限回路、
３８  選択回路、  
３８１  第一導通回路、
３８２  第二導通回路、
３８３  インダクタンス、
３９  スイッチパーツ、  
３９１  第一電気コントロールスイッチ、
３９２  第二電気コントロールスイッチ、  
４０  放熱板、
４１  位置決め用槽、
２００  ランプソケット、  
３００  ＩＣ制御式電子安定器、    
４００  自励発振式電子安定器。
【図１】
0003193351.tif 000004
【図２】
0003193351.tif 000005
【図３】
0003193351.tif 000006
【図４】
0003193351.tif 000007
【図５】
0003193351.tif 000008
【図６】
0003193351.tif 000009
【図７】
0003193351.tif 000010
【図８】
0003193351.tif 000011
【図９】
0003193351.tif 000012
【図１０】
0003193351.tif 000013
【図１１】
0003193351.tif 000014